(57)【要約】【課題】自動受信機能が有効か否かをユーザーが把握できる電子時計および電子時計の制御方法を提供すること。【解決手段】電子時計は、電波を受信する受信回路と、表示装置と、自動受信条件に該当したか否かを判定する条件判定部と、前記自動受信条件に該当したと判定された場合、前記受信回路を制御して前記電波を受信する受信処理を実行する自動受信制御部と、前記条件判定部を動作状態または非動作状態に切り替える動作制御部と、前記条件判定部が動作状態である場合、受信待機情報を前記表示装置に表示させる表示制御部と、を備えることを特徴とする。【選択図】図４
2018009929.tif 000002
【特許請求の範囲】
【請求項１】
電波を受信する受信回路と、
表示装置と、
自動受信条件に該当したか否かを判定する条件判定部と、
前記自動受信条件に該当したと判定された場合、前記受信回路を制御して前記電波を受信する受信処理を実行する自動受信制御部と、
前記条件判定部を動作状態または非動作状態に切り替える動作制御部と、
前記条件判定部が動作状態である場合、受信待機情報を前記表示装置に表示させる表示制御部と、を備える
ことを特徴とする電子時計。
【請求項２】
請求項１に記載の電子時計において、
太陽電池と、
前記太陽電池に照射される光の照度を検出する照度検出回路と、を備え、
前記条件判定部は、前記照度検出回路によって検出された照度が、予め設定された照度閾値以上か否かを判定し、前記検出された照度が前記照度閾値以上の場合、前記自動受信条件に該当したと判定する
ことを特徴とする電子時計。
【請求項３】
請求項１に記載の電子時計において、
時刻を計時する計時装置を備え、
前記条件判定部は、前記計時装置によって計時された時刻が、予め設定された所定時刻か否かを判定し、前記計時された時刻が前記所定時刻の場合、前記自動受信条件に該当したと判定する
ことを特徴とする電子時計。
【請求項４】
請求項１に記載の電子時計において、
太陽電池と、
前記太陽電池に照射される光の照度を検出する照度検出回路と、
時刻を計時する計時装置と、を備え、
前記条件判定部は、
前記照度検出回路によって検出された照度が、予め設定された照度閾値以上か否かを判定し、前記検出された照度が前記照度閾値以上の場合、前記自動受信条件に該当したと判定する第１条件判定部と、
前記計時装置によって計時された時刻が、予め設定された所定時刻か否かを判定し、前記計時された時刻が前記所定時刻の場合、前記自動受信条件に該当したと判定する第２条件判定部と、を備え、
前記表示制御部は、
前記第１条件判定部が動作状態である場合、第１受信待機情報を前記表示装置に表示させ、
前記第２条件判定部が動作状態である場合、第２受信待機情報を前記表示装置に表示させる
ことを特徴とする電子時計。
【請求項５】
請求項１から請求項４のいずれか１項に記載の電子時計において、
前記動作制御部は、予め設定された前記条件判定部の動作条件に該当するか否かを判定し、前記動作条件に該当した場合、前記条件判定部を動作状態とし、予め設定された前記条件判定部の非動作条件に該当するか否かを判定し、前記非動作条件に該当した場合、前記条件判定部を非動作状態とする
ことを特徴とする電子時計。
【請求項６】
請求項５に記載の電子時計において、
時刻を計時する計時装置を備え、
前記動作制御部は、前記計時装置によって計時された時刻が、予め設定された前記条件判定部の動作開始時刻になると、前記動作条件に該当したと判定する
ことを特徴とする電子時計。
【請求項７】
請求項５または請求項６に記載の電子時計において、
時刻を計時する計時装置を備え、
前記動作制御部は、前記計時装置によって計時された時刻が、予め設定された前記条件判定部の動作終了時刻になると、前記非動作条件に該当したと判定する
ことを特徴とする電子時計。
【請求項８】
請求項５から請求項７のいずれか１項に記載の電子時計において、
前記動作制御部は、前記条件判定部が前記自動受信条件に該当したと判定した場合、前記非動作条件に該当したと判定する
ことを特徴とする電子時計。
【請求項９】
請求項５から請求項８のいずれか１項に記載の電子時計において、
操作装置と、
前記操作装置の手動受信操作に応じて、前記受信回路を制御して前記電波を受信する手動受信処理を実行する手動受信判定制御部と、を備え、
前記動作制御部は、前記手動受信処理が実行された場合、前記非動作条件に該当したと判定する
ことを特徴とする電子時計。
【請求項１０】
請求項１に記載の電子時計において、
太陽電池と、
前記太陽電池に照射される光の照度を検出する照度検出回路と、を備え、
前記動作制御部は、前記照度検出回路によって検出された照度が予め設定された照度閾値以上となる高照度状態の場合、前記条件判定部を動作状態とし、
前記条件判定部は、前記高照度状態の継続時間が、予め設定された時間閾値以上か否かを判定し、前記継続時間が前記時間閾値以上の場合、前記自動受信条件に該当したと判定する
ことを特徴とする電子時計。
【請求項１１】
請求項１から請求項１０のいずれか１項に記載の電子時計において、
前記表示制御部は、前記受信処理が、前記条件判定部によって前記自動受信条件に該当したと判定されて実行された場合、受信結果の表示を要求する結果表示要求信号に応じて、自動受信によって受信に成功したか否かを示す受信結果情報を前記表示装置に表示させる
ことを特徴とする電子時計。
【請求項１２】
請求項４に記載の電子時計において、
前記表示制御部は、
前記受信処理が、前記第１条件判定部によって前記自動受信条件に該当したと判定されて実行された場合、受信結果の表示を要求する結果表示要求信号に応じて、自動受信によって受信に成功したか否かを示す第１受信結果情報を前記表示装置に表示させ、
前記受信処理が、前記第２条件判定部によって前記自動受信条件に該当したと判定されて実行された場合、前記結果表示要求信号に応じて、自動受信によって受信に成功したか否かを示す第２受信結果情報を前記表示装置に表示させる
ことを特徴とする電子時計。
【請求項１３】
請求項１１または請求項１２に記載の電子時計において、
結果表示操作が行われた場合に、前記結果表示要求信号を出力する操作装置を備える
ことを特徴とする電子時計。
【請求項１４】
請求項１から請求項１３のいずれか１項に記載の電子時計において、
前記表示制御部は、前記受信処理が実行されている期間、受信モードを前記表示装置に表示させる
ことを特徴とする電子時計。
【請求項１５】
請求項１から請求項１４のいずれか１項に記載の電子時計において、
前記表示装置は、指針を備え、
前記表示制御部は、
前記条件判定部が動作状態の場合、前記受信待機情報を前記指針に表示させ、
前記条件判定部が非動作状態の場合、予め設定された所定情報を前記指針に表示させる
ことを特徴とする電子時計。
【請求項１６】
請求項１５に記載の電子時計において、
太陽電池と、
前記太陽電池が発電した電力によって充電される二次電池と、
前記二次電池の電池残量を検出する電池残量検出回路と、を備え、
前記所定情報は、前記電池残量検出回路によって検出された前記電池残量である
ことを特徴とする電子時計。
【請求項１７】
請求項１５に記載の電子時計において、
前記所定情報は、曜日である
ことを特徴とする電子時計。
【請求項１８】
請求項１５から請求項１７のいずれか１項に記載の電子時計において、
操作装置を備え、
前記表示制御部は、前記受信待機情報を前記指針に表示させている場合、前記操作装置の表示切替操作に応じて、前記所定情報を前記指針に表示させる
ことを特徴とする電子時計。
【請求項１９】
電子時計の制御方法であって、
自動受信条件に該当したか否かを判定するステップと、
前記自動受信条件に該当したと判定された場合、電波を受信する受信処理を実行するステップと、
前記判定するステップを実行するか否かを切り替えるステップと、
前記判定するステップを実行する場合、受信待機情報を表示するステップと、を備える
ことを特徴とする電子時計の制御方法。
【発明の詳細な説明】
【技術分野】
【０００１】
本発明は、時刻情報を含む電波を受信する電子時計および電子時計の制御方法に関する。
【背景技術】
【０００２】
ＧＰＳ（Global Positioning System）衛星から送信される衛星信号など、時刻情報を含む電波を自動受信して、時刻修正を行う電子時計が知られている（例えば、特許文献１参照）。
特許文献１の電子時計は、ソーラーセルに当たる光の照度を検出して照度検出レベルを求め、当該照度検出レベルが照度閾値レベル以上となる高照度状態が、所定時間以上継続したか否かを判定する判定処理を行う。高照度状態が所定時間以上継続した場合は、電子時計に太陽光が照射されていると判断でき、電子時計が屋外に配置されている可能性が高いため、当該電子時計は、ＧＰＳ衛星から送信される衛星信号を受信する受信処理を実行する。
前記判定処理は、毎日決められた時刻に開始され、受信処理が実行された場合に終了する。すなわち、受信処理が実行された場合は、その後、次の日の決められた時刻まで、前記判定処理は実行されないため、高照度状態が所定時間以上継続したとしても、再度の受信処理は実行されない。
【先行技術文献】
【特許文献】
【０００３】
【特許文献１】特開２０１３−５０３４３号公報
【発明の概要】
【発明が解決しようとする課題】
【０００４】
しかしながら、特許文献１の電子時計は、前記判定処理を実行中であるか否かは表示していない。このため、電子時計が、ソーラーセルに照度閾値レベル以上の光を所定時間当てれば受信処理が実行される状態にあるのか否か、すなわち、自動受信機能が有効か否かを、ユーザーが把握できず不便であった。
【０００５】
本発明の目的は、自動受信機能が有効か否かをユーザーが把握できる電子時計および電子時計の制御方法を提供することにある。
【課題を解決するための手段】
【０００６】
本発明の電子時計は、電波を受信する受信回路と、表示装置と、自動受信条件に該当したか否かを判定する条件判定部と、前記自動受信条件に該当したと判定された場合、前記受信回路を制御して前記電波を受信する受信処理を実行する自動受信制御部と、前記条件判定部を動作状態または非動作状態に切り替える動作制御部と、前記条件判定部が動作状態である場合、受信待機情報を前記表示装置に表示させる表示制御部と、を備えることを特徴とする。
【０００７】
電波は、例えば、ＧＰＳ衛星などの位置情報衛星から送信される衛星信号や、ＪＪＹなどの標準電波である。
動作制御部は、例えば、毎日予め設定された時刻に条件判定部を動作状態とし、自動受信条件に該当して受信処理が実行された場合、条件判定部を非動作状態とする。
本発明によれば、ユーザーは、受信待機情報が表示されている場合は、条件判定部が動作状態にあり、電子時計が、自動受信条件に該当すれば受信処理が実行される状態にあること、すなわち、自動受信機能が有効であることが分かる。また、ユーザーは、受信待機情報が表示されていない場合は、条件判定部が非動作状態にあり、電子時計が、自動受信条件に該当しても受信処理が実行されない状態にあること、すなわち、自動受信機能が無効であることが分かる。ユーザーは、自動受信機能が有効であることが分かれば、自動受信処理により時刻が修正されることで、正確な時刻を維持できると判断できるため、安心して電子時計を使い続けることが可能となる。
【０００８】
本発明の電子時計において、太陽電池と、前記太陽電池に照射される光の照度を検出する照度検出回路と、を備え、前記条件判定部は、前記照度検出回路によって検出された照度が、予め設定された照度閾値以上か否かを判定し、前記検出された照度が前記照度閾値以上の場合、前記自動受信条件に該当したと判定することが好ましい。
【０００９】
本発明によれば、ユーザーは、受信待機情報が表示されている場合、自動受信機能が有効であり、電子時計が、太陽電池に照射される光の照度が照度閾値以上になれば受信処理が実行される状態にあることが分かる。このため、例えば、屋外に出る予定がある場合は、受信処理が実行されることを予測できる。
また、ユーザーは、受信待機情報が表示されていない場合、電子時計が、太陽電池に照射される光の照度が照度閾値以上になっても受信処理が実行されない状態にあることが分かる。このため、例えば、受信処理を実行させる必要があると判断した場合は、電子時計を屋外に配置した状態で、電子時計が備える操作装置を操作して強制的に手動で受信処理を実行させるなどの対応をとることができる。
【００１０】
本発明の電子時計において、時刻を計時する計時装置を備え、前記条件判定部は、前記計時装置によって計時された時刻が、予め設定された所定時刻か否かを判定し、前記計時された時刻が前記所定時刻の場合、前記自動受信条件に該当したと判定することが好ましい。
【００１１】
本発明によれば、ユーザーは、受信待機情報が表示されている場合、時刻が進み所定時刻になれば受信処理が実行されることを予測できる。
また、ユーザーは、受信待機情報が表示されていない場合、例えば翌日になるまでは、時刻が進んでも受信処理が実行されないことが分かる。このため、例えば、受信処理を実行させる必要があると判断した場合は、電子時計を屋外に配置した状態で、操作装置を操作して強制的に手動で受信処理を実行させるなどの対応をとることができる。
【００１２】
本発明の電子時計において、太陽電池と、前記太陽電池に照射される光の照度を検出する照度検出回路と、時刻を計時する計時装置と、を備え、前記条件判定部は、前記照度検出回路によって検出された照度が、予め設定された照度閾値以上か否かを判定し、前記検出された照度が前記照度閾値以上の場合、前記自動受信条件に該当したと判定する第１条件判定部と、前記計時装置によって計時された時刻が、予め設定された所定時刻か否かを判定し、前記計時された時刻が前記所定時刻の場合、前記自動受信条件に該当したと判定する第２条件判定部と、を備え、前記表示制御部は、前記第１条件判定部が動作状態である場合、第１受信待機情報を前記表示装置に表示させ、前記第２条件判定部が動作状態である場合、第２受信待機情報を前記表示装置に表示させることが好ましい。
【００１３】
本発明によれば、ユーザーは、第１受信待機情報が表示されている場合は、第１条件判定部が動作状態にあり、電子時計が、太陽電池に照射される光の照度が照度閾値以上になれば受信処理が実行される状態にあることが分かる。また、ユーザーは、第２受信待機情報が表示されている場合は、第２条件判定部が動作状態にあり、電子時計が、時刻が進み所定時刻になれば受信処理が実行される状態にあることが分かる。
また、ユーザーは、第１受信待機情報および第２受信待機情報のいずれも表示されていない場合、第１条件判定部および第２条件判定部がいずれも非動作状態にあり、太陽電池に照射される光の照度が照度閾値以上になっても、時刻が進んでも受信処理が実行されないことが分かる。このため、例えば、受信処理を実行させる必要があると判断した場合は、電子時計を屋外に配置した状態で、操作装置を操作して強制的に手動で受信処理を実行させるなどの対応をとることができる。
【００１４】
本発明の電子時計において、前記動作制御部は、予め設定された前記条件判定部の動作条件に該当するか否かを判定し、前記動作条件に該当した場合、前記条件判定部を動作状態とし、予め設定された前記条件判定部の非動作条件に該当するか否かを判定し、前記非動作条件に該当した場合、前記条件判定部を非動作状態とすることが好ましい。
【００１５】
本発明によれば、例えば、ユーザーが操作装置を操作して条件判定部を動作状態または非動作状態に切り替える必要がないため、電子時計を使い易くできる。
【００１６】
本発明の電子時計において、時刻を計時する計時装置を備え、前記動作制御部は、前記計時装置によって計時された時刻が、予め設定された前記条件判定部の動作開始時刻になると、前記動作条件に該当したと判定することが好ましい。
【００１７】
本発明によれば、予め決められた時刻に条件判定部を動作状態とすることができる。
【００１８】
本発明の電子時計において、時刻を計時する計時装置を備え、前記動作制御部は、前記計時装置によって計時された時刻が、予め設定された前記条件判定部の動作終了時刻になると、前記非動作条件に該当したと判定することが好ましい。
【００１９】
本発明によれば、予め決められた時刻に条件判定部を非動作状態とすることができる。
【００２０】
本発明の電子時計において、前記動作制御部は、前記条件判定部が前記自動受信条件に該当したと判定した場合、前記非動作条件に該当したと判定することが好ましい。
【００２１】
本発明によれば、自動受信条件に該当して受信処理が実行された場合、条件判定部が非動作状態とされるため、例えば翌日になるまで再度の受信処理が実行されないようにできる。
【００２２】
本発明の電子時計において、操作装置と、前記操作装置の手動受信操作に応じて、前記受信回路を制御して前記電波を受信する手動受信処理を実行する手動受信判定制御部と、を備え、前記動作制御部は、前記手動受信処理が実行された場合、前記非動作条件に該当したと判定することが好ましい。
【００２３】
本発明によれば、手動受信処理が実行された場合、条件判定部が非動作状態とされるため、例えば翌日になるまで再度の受信処理が実行されないようにできる。
【００２４】
本発明の電子時計において、太陽電池と、前記太陽電池に照射される光の照度を検出する照度検出回路と、を備え、前記動作制御部は、前記照度検出回路によって検出された照度が予め設定された照度閾値以上となる高照度状態の場合、前記条件判定部を動作状態とし、前記条件判定部は、前記高照度状態の継続時間が、予め設定された時間閾値以上か否かを判定し、前記継続時間が前記時間閾値以上の場合、前記自動受信条件に該当したと判定することが好ましい。
【００２５】
時間閾値は、例えば１秒、２秒、１０秒などに設定される。
本発明によれば、例えば、ユーザーが屋内において窓際を通過する際に、太陽電池に短時間の間太陽光が照射されるような場合、受信処理が実行されることを抑制できるため、受信処理に失敗することを抑制できる。
また、本発明によれば、検出された照度が照度閾値以上となる高照度状態の場合、条件判定部が動作状態となり、受信待機情報が表示される。
このため、ユーザーは、電子時計に受信処理を実行させようと考え、屋外などで太陽電池に光を当てた場合、受信待機情報が表示されている場合は、太陽電池に照射された光の照度が照度閾値以上であることが分かる。このため、電子時計の状態を維持することで、受信処理を実行させることができる。
また、ユーザーは、受信待機情報が表示されていない場合には、太陽電池に照射された光の照度が照度閾値未満であることが分かる。このため、電子時計の配置や姿勢を変えることで、太陽電池に照射される光の照度が照度閾値以上となるように調整できる。
【００２６】
本発明の電子時計において、前記表示制御部は、前記受信処理が、前記条件判定部によって前記自動受信条件に該当したと判定されて実行された場合、受信結果の表示を要求する結果表示要求信号に応じて、自動受信によって受信に成功したか否かを示す受信結果情報を前記表示装置に表示させることが好ましい。
【００２７】
本発明によれば、ユーザーは、受信結果情報が表示されることで、自動受信処理に成功したか否かを判断できる。
【００２８】
本発明の電子時計において、前記表示制御部は、前記受信処理が、前記第１条件判定部によって前記自動受信条件に該当したと判定されて実行された場合、受信結果の表示を要求する結果表示要求信号に応じて、自動受信によって受信に成功したか否かを示す第１受信結果情報を前記表示装置に表示させ、前記受信処理が、前記第２条件判定部によって前記自動受信条件に該当したと判定されて実行された場合、前記結果表示要求信号に応じて、自動受信によって受信に成功したか否かを示す第２受信結果情報を前記表示装置に表示させることが好ましい。
【００２９】
本発明によれば、ユーザーは、第１受信結果情報が表示されることで、太陽電池に照射された光の照度が照度閾値以上となって実行される受信処理（光自動受信処理）に成功したか否かを判断できる。また、ユーザーは、第２受信結果情報が表示されることで、時刻が所定時刻となって実行される受信処理（定時自動受信処理）に成功したか否かを判断できる。
これによれば、例えば、光自動受信処理に失敗した場合は、例えば、屋内においてスポットライトなどの強い照明の光が電子時計に当たり、受信処理が実行されたことなどが原因として考えられる。このため、ユーザーは、強い照明の光が電子時計に当たらないように注意して電子時計を使用することで、受信処理に失敗することを抑制でき、消費電力を低減できる。
また、定時自動受信処理に失敗した場合は、所定時刻における電子時計の受信環境が適切ではないと判断できるため、ユーザーは、例えば所定時刻の設定を変更することで、受信処理に失敗することを抑制でき、消費電力を低減できる。
【００３０】
本発明の電子時計において、結果表示操作が行われた場合に、前記結果表示要求信号を出力する操作装置を備えることが好ましい。
【００３１】
本発明によれば、ユーザーは、受信結果情報を表示させたいと考えた場合、操作装置の結果表示操作を行うことで、直ちに受信結果情報を表示させることができる。
【００３２】
本発明の電子時計において、前記表示制御部は、前記受信処理が実行されている期間、受信モードを前記表示装置に表示させることが好ましい。
【００３３】
本発明によれば、ユーザーは、実行されている受信処理の受信モードを把握できる。
【００３４】
本発明の電子時計において、前記表示装置は、指針を備え、前記表示制御部は、前記条件判定部が動作状態の場合、前記受信待機情報を前記指針に表示させ、前記条件判定部が非動作状態の場合、予め設定された所定情報を前記指針に表示させることが好ましい。
【００３５】
本発明によれば、ユーザーは、指針が受信待機情報を表示している場合は、条件判定部が動作状態にあることが分かり、指針が受信待機情報を表示していない場合は、条件判定部が非動作状態にあることが分かる。
このため、指針が受信待機情報を表示しない場合は、指針に所定情報を表示させることで、条件判定部が非動作状態にあることと、所定情報とを同時に表示させることができる。
このため、受信待機情報と所定情報とを別々の指針で表示する場合と比べて、電子時計が備える指針の数を削減できる。
【００３６】
本発明の電子時計において、太陽電池と、前記太陽電池が発電した電力によって充電される二次電池と、前記二次電池の電池残量を検出する電池残量検出回路と、を備え、前記所定情報は、前記電池残量検出回路によって検出された前記電池残量であることが好ましい。
【００３７】
ユーザーは、受信待機情報が表示されていない場合、電子時計をそのまま使用したり放置したりしていても、例えば翌日になるまで受信処理が実行されないと判断できる。このため、ユーザーは、例えば、受信処理を実行させる必要があると判断した場合は、操作装置を操作して強制的に手動で受信処理を実行させようとする場合がある。
このような場合、本発明によれば、指針が電池残量を表示しているため、ユーザーは、受信処理を強制的に手動で実行させる前に、電池残量が低下していないかを判断できる。
【００３８】
本発明の電子時計において、前記所定情報は、曜日であることが好ましい。
【００３９】
動作制御部が例えば２日に１度の間隔で条件判定部を動作状態とする場合、ユーザーは、指針が曜日を表示しており、かつ、表示されている曜日が、条件判定部が動作状態とされない日に対応している場合、その日は条件判定部が１度も動作状態にならないことが分かる。
【００４０】
本発明の電子時計において、操作装置を備え、前記表示制御部は、前記受信待機情報を前記指針に表示させている場合、前記操作装置の表示切替操作に応じて、前記所定情報を前記指針に表示させることが好ましい。
【００４１】
本発明によれば、ユーザーは、指針が受信待機情報を表示している場合に、所定情報を知りたいと考えた場合、操作装置の表示切替操作を行えば、直ちに所定情報を表示させることができる。
【００４２】
本発明は、電子時計の制御方法であって、自動受信条件に該当したか否かを判定するステップと、前記自動受信条件に該当したと判定された場合、電波を受信する受信処理を実行するステップと、前記判定するステップを実行するか否かを切り替えるステップと、前記判定するステップを実行する場合、受信待機情報を表示するステップと、を備えることを特徴とする。
【００４３】
本発明によれば、ユーザーは、受信待機情報が表示されている場合は、前記判定するステップが実行されており、電子時計が、自動受信条件に該当すれば受信処理が実行される状態にあることが分かる。また、ユーザーは、受信待機情報が表示されていない場合は、前記判定するステップが実行されておらず、電子時計が、自動受信条件に該当しても受信処理が実行されない状態にあることが分かる。
【図面の簡単な説明】
【００４４】
【図１】本発明に係る第１実施形態の電子時計を示す概略図。
【図２】第１実施形態における電子時計の正面図。
【図３】第１実施形態における電子時計の断面図。
【図４】図２の部分拡大図。
【図５】第１実施形態における電子時計の回路ブロック図。
【図６】第１実施形態における記憶装置のデータ構造を示す図。
【図７】第１実施形態における受信制御処理を示すフローチャート。
【図８】第１実施形態における電子時計が実行する処理の動作タイミングを説明する図。
【図９】第１実施形態における照度と開放電圧との関係を示す図。
【図１０】第１実施形態における検出レベルと開放電圧と照度との関係を示す図。
【図１１】本発明に係る第２実施形態の表示構造を示す図。
【図１２】第２実施形態における電子時計の回路ブロック図。
【図１３】第２実施形態における受信制御処理を示すフローチャート。
【図１４】第２実施形態における電子時計が実行する処理の動作タイミングを説明する図。
【図１５】本発明に係る第３実施形態の表示構造を示す図。
【図１６】第３実施形態における受信制御処理を示すフローチャート。
【図１７】第３実施形態における表示遷移例を示す図。
【図１８】本発明に係る第４実施形態の表示構造を示す図。
【図１９】第４実施形態における受信制御処理を示すフローチャート。
【図２０】第４実施形態における表示遷移例を示す図。
【図２１】本発明に係る他の実施形態の電子時計の正面図。
【図２２】図２１の部分拡大図。
【図２３】他の実施形態における表示構造を示す図。
【図２４】他の実施形態における表示構造を示す図。
【図２５】他の実施形態における受信制御処理を示すフローチャート。
【図２６】他の実施形態における電子時計が実行する処理の動作タイミングを説明する図。
【図２７】他の実施形態における電子時計が実行する処理の動作タイミングを説明する図。
【図２８】他の実施形態における受信制御処理を示すフローチャート。
【図２９】他の実施形態における電子時計が実行する処理の動作タイミングを説明する図。
【発明を実施するための形態】
【００４５】
以下、本発明の具体的な実施形態を図面に基づいて説明する。
［第１実施形態］
図１は、本実施形態の電子時計１を示す概略図である。
電子時計１は、地球の上空を所定の軌道で周回している複数のＧＰＳ衛星１００のうち、少なくとも１つのＧＰＳ衛星１００からの衛星信号を受信して時刻情報を取得し、少なくとも３つのＧＰＳ衛星１００からの衛星信号を受信して位置情報を算出して取得するように構成されている。なお、ＧＰＳ衛星１００は、位置情報衛星の一例であり、地球の上空に複数存在している。現在は約３０個のＧＰＳ衛星１００が周回している。
【００４６】
［電子時計の概略構成］
図２は、電子時計１の正面図であり、図３は、電子時計１の概略を示す断面図である。
電子時計１は、図２および図３に示すように、外装ケース３０と、カバーガラス３３と、裏蓋３４とを備えている。外装ケース３０は、金属で形成された円筒状のケース本体３１に、セラミックで形成されたベゼル３２が嵌合されて構成されている。このベゼル３２の内周側に、プラスチックで形成されたリング状のダイヤルリング３５を介して、円盤状の文字板１１が時刻表示部分として配置されている。
外装ケース３０の側面には、文字板１１の中心より、２時方向の位置にＡボタン２と、４時方向の位置にＢボタン３と、３時方向の位置にリューズ４とが設けられている。
【００４７】
電子時計１は、図３に示すように、金属製のケース本体３１の二つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング３５と、光透過性の文字板１１と、指針２１〜２４と、カレンダー車２０と、各指針２１〜２４およびカレンダー車２０を駆動する駆動機構１４０などが備えられている。
【００４８】
ダイヤルリング３５は、一面がカバーガラス３３と並行している平板部分と、文字板１１側へ傾斜した傾斜部分を備えている。ダイヤルリング３５は、平面視においてはリング形状となっており、断面視においてはすり鉢形状となっている。ダイヤルリング３５の平板部分と、傾斜部分と、ベゼル３２の内周面とによりドーナツ形状の収納空間が形成されており、この収納空間内には、リング状のアンテナ体１１０が収納されている。
【００４９】
文字板１１は、外装ケース３０の内側で時刻を表示する円形の板材であり、プラスチックなどの光透過性の材料で形成され、カバーガラス３３との間に指針２１〜２４などを備え、ダイヤルリング３５の内側に配置されている。
文字板１１と、駆動機構１４０が取り付けられている地板１２５との間には、光発電を行う太陽電池１３５が備えられている。太陽電池１３５は、光エネルギーを電気エネルギーに変換する複数の光発電素子を直列接続した円形の平板である。文字板１１、太陽電池１３５、地板１２５には、指針２１〜２３の指針軸２９と、指針２４の図示しない指針軸とが貫通する穴が形成されている。また、文字板１１および太陽電池１３５には、カレンダー小窓１９の開口部が形成されている。
【００５０】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸２９等を回転させることにより各指針２１〜２４およびカレンダー車２０などを駆動する。
駆動機構１４０は、具体的には、第１〜第４駆動機構を備える。第１駆動機構は指針２２および指針２３を駆動し、第２駆動機構は指針２１を駆動し、第３駆動機構は指針２４を駆動し、第４駆動機構はカレンダー車２０を駆動する。ここで、駆動機構１４０および指針２１〜２４は、表示装置の一例である。
【００５１】
回路基板１２０は、ＧＰＳ受信回路４５、制御装置５０を備えている。また、この回路基板１２０とアンテナ体１１０とは、アンテナ接続ピン１１５を用い接続されている。ＧＰＳ受信回路４５、制御装置５０が設けられた回路基板１２０の裏蓋３４側には、これらの回路部品を覆うための回路押さえ１２２が設けられている。また、リチウムイオン電池などの二次電池１３０が、地板１２５と裏蓋３４との間に設けられている。二次電池１３０は、太陽電池１３５が発電した電力で充電される。
【００５２】
［電子時計の表示機構］
指針２１〜２３は、文字板１１の平面中心に設けられた指針軸２９に取り付けられている。文字板１１の外周部を囲むダイヤルリング３５の内周側には、図２に示すように、内周を６０分割にする目盛が表記されている。この目盛を用いて、指針２１は通常時に時刻の「秒」を表示し、指針２２は時刻の「分」を表示し、指針２３は時刻の「時」を表示する。
また、ダイヤルリング３５には、１２分位置にアルファベットの「Ｙ」と、１８分位置にアルファベットの「Ｎ」の英字が表記されている。この英字は、ＧＰＳ衛星１００から受信した衛星信号に基づく各種情報の受信（取得）結果（Ｙ：受信（取得）成功、Ｎ：受信（取得）失敗）を示す。指針２１は、「Ｙ」および「Ｎ」のいずれか一方を指示し、衛星信号の受信結果を表示する。
【００５３】
指針２４は、文字板１１の平面中心から８時方向に設けられた指針軸に取り付けられている。以下、指針２４の回転領域の外周の表記について説明するが、「ｎ時方向」（ｎは任意の自然数）とあるのは、指針２４の指針軸から回転領域の外周をみたときの方向である。
図４に示すように、指針２４の回転領域の６時方向から７時方向の範囲の外周には、「ＤＳＴ」の英字と「○」の記号が表記されている。ＤＳＴ（daylight saving time）は夏時間を意味する。指針２４は、これらの英字と記号を指示することで、夏時間（ＤＳＴ：夏時間ＯＮ、○：夏時間ＯＦＦ）の設定を表示する。
【００５４】
指針２４の回転領域の８時方向から９時方向までの範囲の外周には、円周に沿って、９時方向の基端が太く、８時方向の先端が細い三日月鎌状の記号である電池インジケーター１２が表記されている。電池インジケーター１２は二次電池１３０のパワーインジケーターであり、電池残量に応じた位置を指針２４が指示することで電池残量が表示される。
電池インジケーター１２は、電池残量を複数の段階で表示でき、電池残量が複数の段階のうち最も大きい第１の段階であることを示す第１の位置と電池残量が複数の段階のうち最も小さい第２の段階であることを示す第２の位置とを有している。
【００５５】
指針２４の回転領域の１０時方向の外周には、太陽の形状をした記号である光受信待機指標１３が表記されている。指針２４は、光受信待機指標１３を指示することで、後述する光条件判定部５８２が動作状態であることを示す光受信待機情報（第１受信待機情報）を表示する。
ここで、光受信待機指標１３は、指針２４が周回する周回方向において、電池インジケーター１２の第１の位置に対して第２の位置とは反対側であり、且つ、第２の位置との距離よりも第１の位置との距離が短くなる位置に配置されていることが好ましい。
【００５６】
指針２４の回転領域の１１時方向の外周には、「１」の数字が表記され、当該回転領域の１２時方向の外周には、「４＋」の記号が表記されている。これらの数字と記号は、衛星信号の受信モードを表す。「１」は時刻情報を受信し内部時刻が修正されること（測時モード）を、「４＋」は時刻情報と軌道情報とを受信し、現在位置である位置情報を算出し、内部時刻と後述するタイムゾーンデータとが修正されること（測位モード）を意味する。
【００５７】
図２に示すように、カレンダー小窓１９は、文字板１１を矩形状に開口した開口部に設けられており、開口部からカレンダー車２０に印刷された数字が視認可能となっている。この数字は、年月日の「日」を表す。
ダイヤルリング３５には、内周側の目盛に沿って、協定世界時（ＵＴＣ）との時差を表す時差情報３７が、数字と数字以外の記号とで表記されている。数字の時差情報３７は整数の時差であり、記号の時差情報３７は整数以外の時差であることを表している。
また、ダイヤルリング３５の周囲に設けられているベゼル３２には、ダイヤルリング３５に表記されている時差情報３７の時差に対応した標準時を使用しているタイムゾーンの代表都市名を表す都市情報３６が、時差情報３７に併記されている。
【００５８】
［電子時計の操作方法］
電子時計１は、リューズ４が０段位置から１段引かれると、指針２１によって現在設定されている時差情報を表示し、指針２４によって現在設定されている夏時間の設定を表示する。また、リューズ４が１段引かれた状態で、リューズ４が回転操作されると、回転方向に応じて、指針２１を進めたり戻したりして時差情報を選択する。そして、指針２１が示した時差情報が設定される。また、リューズ４が１段引かれた状態で、Ａボタン２が押されると、指針２４が移動する事で、夏時間の設定のＯＮ，ＯＦＦを切り替える。そして、指針２４が示したＯＮ、ＯＦＦのいずれかが設定される。
電子時計１は、リューズ４が０段位置から２段引かれた状態で、リューズ４が回転操作されると、時分または日を変更する。変更対象の切り替えは、Ａボタン２が押されることで行われる。なお、このとき、指針２４は電池残量を表示する。
【００５９】
［電子時計の手動受信操作方法］
電子時計１は、リューズ４が０段位置の状態で、Ａボタン２が３秒以上６秒未満押されると、測時モードでの受信処理（測時モードの手動受信処理）を実行する。また、Ａボタン２が６秒以上押されると、測位モードでの受信処理（測位モードの手動受信処理）を実行する。
測時モードの手動受信処理の実行中、指針２４は、「１」の数字を指示する。また、測位モードの手動受信処理の実行中、指針２４は、「４＋」の記号を指示する。
【００６０】
［電子時計の受信結果表示操作方法］
電子時計１は、リューズ４が０段位置の状態で、Ａボタン２が押されると、直前に実行された受信処理（最新の受信処理）が成功したか否かを示す受信結果情報を表示する。すなわち、受信に成功した場合、指針２１は「Ｙ」の英字を指示し、受信に失敗した場合、指針２１は「Ｎ」の英字を指示する。
ここで、受信処理が手動受信処理である場合、指針２４は受信モードを表示する。すなわち、受信モードが測時モードの場合、指針２４は「１」の数字を指示し、受信モードが測位モードの場合、指針２４は「４＋」の記号を指示する。
また、受信処理が後述する自動受信処理である場合、指針２４は光受信待機指標１３を指示する。
【００６１】
［電子時計の回路構成］
図５は、電子時計１の回路構成を示すブロック図である。この図に示すように、電子時計１は、太陽電池１３５と、二次電池１３０と、ＧＰＳ受信回路４５と、計時装置４６と、操作装置４７と、制御装置５０と、駆動機構１４０とを備えている。制御装置５０は、ダイオード５１と、充電制御用スイッチ５２と、充電状態検出回路５３と、電圧検出回路５４と、駆動回路５５と、電池残量検出回路５６と、記憶装置６０と、制御回路５８とを備えている。なお、充電状態検出回路５３、電圧検出回路５４からなる構成は、照度検出回路の一例である。
【００６２】
受信回路としてのＧＰＳ受信回路４５は、アンテナ体１１０に接続され、アンテナ体１１０を介して受信した衛星信号を処理して時刻情報や位置情報を取得する。
そして、ＧＰＳ受信回路４５は、図示を略すが、通常のＧＰＳ装置と同様に、ＧＰＳ衛星１００から送信される衛星信号を受信してデジタル信号に変換するＲＦ（Radio Frequency）部と、受信信号の相関判定を実行して航法メッセージを復調するＢＢ部（ベースバンド部）と、ＢＢ部で復調された航法メッセージ（衛星信号）から時刻情報や位置情報（測位情報）を取得して出力する情報取得手段とを備えている。
【００６３】
計時装置４６は、二次電池１３０に蓄積された電力で駆動される水晶振動子等を備え、水晶振動子の発振信号に基づく基準信号を用いて時刻データを更新する。
【００６４】
操作装置４７は、図２に示すＡボタン２、Ｂボタン３、リューズ４を備えて構成され、各ボタン２，３の押し離しや、リューズ４の引き出し、押し込み、回転に基づいて、各種処理の実行を指示する操作を検出し、検出した操作に応じた操作信号を制御回路５８に出力する。
【００６５】
ダイオード５１は、太陽電池１３５と二次電池１３０とを電気的に接続する経路に設けられ、太陽電池１３５から二次電池１３０への電流（順方向電流）を遮断せずに、二次電池１３０から太陽電池１３５への電流（逆方向電流）を遮断する。なお、順方向電流が流れるのは、二次電池１３０の電圧よりも太陽電池１３５の電圧が高い場合、すなわち充電時に限られる。また、ダイオード５１に代えて電界効果トランジスター（ＦＥＴ）を採用してもよい。
【００６６】
充電制御用スイッチ５２は、太陽電池１３５から二次電池１３０への電流の経路を接続および切断するものであり、太陽電池１３５と二次電池１３０とを電気的に接続する経路に設けられたスイッチング素子５２１を備えている。スイッチング素子５２１がオフ状態からオン状態に遷移するとオン（接続）し、スイッチング素子５２１がオン状態からオフ状態へ遷移するとオフ（切断）する。
例えば、過充電により電池特性が劣化する状態にならないよう、二次電池１３０の電池電圧が所定値以上となる場合には、制御回路５８から出力される２値の制御信号ＣＴＬ３に基づいて、充電制御用スイッチ５２をオフする。なお、この場合、後述する電圧検出回路５４は、制御回路５８から出力される制御信号ＣＴＬ２に基づいて動作が停止されている。
スイッチング素子５２１は、ｐチャネル型のトランジスターであり、ゲート電圧Ｖｇ１がローレベルの場合にはオン状態となり、ハイレベルの場合にはオフ状態となる。ゲート電圧Ｖｇ１は、制御回路５８により制御される。
【００６７】
充電状態検出回路５３は、制御回路５８から出力される充電状態の検出タイミングを指定する２値の制御信号ＣＴＬ１に基づいて作動し、太陽電池１３５から二次電池１３０への充電の状態（充電状態）を検出し、検出結果ＲＳ１を制御回路５８へ出力する。充電状態は「充電中」または「非充電中」であり、その検出は電池電圧ＶＣＣと充電制御用スイッチ５２がオンのときの太陽電池１３５のＰＶＩＮとに基づいて行われる。例えば、ダイオード５１の降下電圧をＶｔｈとし、スイッチング素子５２１のオン抵抗を無視したとき、ＰＶＩＮ−Ｖｔｈ＞ＶＣＣの場合には「充電中」と判定し、ＰＶＩＮ−Ｖｔｈ≦ＶＣＣの場合には「非充電中」と判定することができる。
【００６８】
本実施形態では、制御信号ＣＴＬ１は、周期が１秒のパルス信号であり、充電状態検出回路５３は、制御信号ＣＴＬ１がハイレベルの期間において充電状態の検出を行う。つまり、充電状態検出回路５３は、充電制御用スイッチ５２を接続状態に維持したまま、充電状態の検出を１秒周期で繰り返し行う。
【００６９】
なお、充電状態の検出を間欠的に行うのは、充電状態検出回路５３の消費電力量を低減するためである。この低減が不要であれば、充電状態が連続的に検出されるようにしてもよい。充電状態検出回路５３は、例えば、コンパレーター、Ａ／Ｄコンバーター等を用いて構成することができる。
【００７０】
電圧検出回路５４は、制御回路５８から出力される電圧の検出タイミングを指定する２値の制御信号ＣＴＬ２に基づいて作動し、太陽電池１３５の端子電圧ＰＶＩＮ、すなわち太陽電池１３５の開放電圧を検出する。なお、電圧検出回路５４が開放電圧を検出している期間、制御回路５８から出力される制御信号ＣＴＬ３に基づいて、充電制御用スイッチ５２はオフとされている。また、電圧検出回路５４は、開放電圧の検出結果ＲＳ２を制御回路５８へ出力する。
【００７１】
電池残量検出回路５６は、制御回路５８から出力される電池残量の検出タイミングを指定する制御信号に基づいて作動し、二次電池１３０の電池電圧を検出し、検出値を制御回路５８に出力する。
ここで、二次電池１３０の電池電圧は、二次電池１３０の電池残量と相関関係がある。このため、電池残量検出回路５６は、二次電池１３０の電池電圧を検出することで、二次電池１３０の電池残量を検出できる。
【００７２】
駆動回路５５は、制御回路５８から出力される制御信号に基づいて駆動し、駆動機構１４０が備えるステップモーターの端子にパルスを出力して駆動機構１４０を駆動させ、各指針２１〜２４およびカレンダー車２０を駆動させる。
【００７３】
記憶装置６０は、ＥＥＰＲＯＭ（Electrically Erasable Programmable Read-Only Memory）やＲＡＭ（Random Access Memory）などで構成され、図６に示すように、時刻データ記憶部６１０と、タイムゾーンデータ記憶部６２０とを備えている。
時刻データ記憶部６１０には、受信時刻データ６１１と、閏秒更新データ６１２と、内部時刻データ６１３と、表示用時刻データ６１４と、タイムゾーンデータ６１５とが記憶される。
受信時刻データ６１１には、衛星信号から取得した時刻情報（ＧＰＳ時刻）が記憶される。この受信時刻データ６１１は、通常は計時装置４６によって１秒毎に更新され、衛星信号を受信した際には、取得した時刻情報（ＧＰＳ時刻）が記憶される。
閏秒更新データ６１２には、少なくとも現在の閏秒のデータが記憶される。すなわち、衛星信号のサブフレーム４、ページ１８には、閏秒に関するデータとして、「現在の閏秒」、「閏秒の更新週」、「閏秒の更新日」、「更新後の閏秒」の各データが含まれる。このうち、本実施形態では、少なくとも「現在の閏秒」のデータを、閏秒更新データ６１２に記憶している。
【００７４】
内部時刻データ６１３には、内部時刻情報が記憶される。この内部時刻情報は、受信時刻データ６１１に記憶されたＧＰＳ時刻と、閏秒更新データ６１２に記憶している「現在の閏秒」とによって更新される。すなわち、内部時刻データ６１３には、ＵＴＣ（協定世界時）が記憶されることになる。受信時刻データ６１１が計時装置４６で更新される際に、この内部時刻情報も更新される。
【００７５】
表示用時刻データ６１４には、内部時刻データ６１３の内部時刻情報に、タイムゾーンデータ６１５のタイムゾーンデータ（時差情報）を加味した時刻情報が記憶される。タイムゾーンデータ６１５は、ユーザーが手動で選択した場合や測位モードで受信した場合に得られるタイムゾーンデータで設定される。ここで、表示用時刻データ６１４の時刻情報は、指針２１〜２３によって表示される時刻に相当する。
【００７６】
タイムゾーンデータ記憶部６２０は、位置情報（緯度、経度）とタイムゾーンデータ（時差情報）とを関連付けて記憶している。このため、測位モードで位置情報を取得した場合、制御回路５８は、その位置情報（緯度、経度）に基づいてタイムゾーンデータを取得できるようにされている。
なお、タイムゾーンデータ記憶部６２０は、さらに、都市名とタイムゾーンデータとを関連付けて記憶している。したがって、ユーザーがリューズ４の操作によって、現地時刻を知りたい都市名を選択すると、制御回路５８は、タイムゾーンデータ記憶部６２０に対してユーザーが設定した都市名を検索し、その都市名に対応するタイムゾーンデータを取得して、タイムゾーンデータ６１５に設定する。
【００７７】
制御回路５８は、電子時計１を制御するＣＰＵ（中央処理装置：Central Processing Unit）で構成されている。制御回路５８は、記憶装置６０に格納された各種プログラムを実行することで、動作制御部５８１、光条件判定部５８２、自動受信制御部５８３、手動受信判定制御部５８４、タイムゾーン設定部５８５、時刻修正部５８６、表示制御部５８７として機能する。
【００７８】
動作制御部５８１は、光条件判定部５８２を動作状態または非動作状態に切り替える。すなわち、動作制御部５８１は、予め設定された光条件判定部５８２の動作条件に該当するか否かを判定し、動作条件に該当した場合、光条件判定部５８２を動作状態とする。また、動作制御部５８１は、予め設定された光条件判定部５８２の非動作条件に該当するか否かを判定し、非動作条件に該当した場合、光条件判定部５８２を非動作状態とする。
【００７９】
光条件判定部（第１条件判定部）５８２は、動作状態の場合、光自動受信条件に該当したか否かを判定する。具体的に、光条件判定部５８２は、充電状態検出回路５３および電圧検出回路５４を作動させ、電圧検出回路５４から出力された太陽電池１３５の開放電圧の検出結果ＲＳ２に基づいて、太陽電池１３５に照射される光の照度が、予め設定された照度閾値以上か否かを判定する。そして、照度が照度閾値以上の場合、自動受信条件に該当したと判定し、自動受信制御部５８３を作動させる。
【００８０】
自動受信制御部５８３は、作動すると、ＧＰＳ受信回路４５を作動して測時モードでの受信処理を実行する（光自動受信処理）。
手動受信判定制御部５８４は、操作装置４７の出力信号に基づいて、Ａボタン２が３秒以上６秒未満押されたことを検出すると、ＧＰＳ受信回路４５を作動して測時モードでの受信処理を実行する（測時モードでの手動受信処理）。また、Ａボタン２が６秒以上押されたことを検出すると、ＧＰＳ受信回路４５を作動して測位モードでの受信処理を実行する（測位モードでの手動受信処理）。
【００８１】
測時モードでの受信処理が実行されると、ＧＰＳ受信回路４５は、少なくとも１つのＧＰＳ衛星１００を捕捉し、そのＧＰＳ衛星１００から送信される衛星信号を受信して時刻情報を取得する。
測位モードでの受信処理が実行されると、ＧＰＳ受信回路４５は、少なくとも３個、好ましくは４個以上のＧＰＳ衛星１００を捕捉し、各ＧＰＳ衛星１００から送信される衛星信号を受信して現在地の位置情報を算出して取得する。また、ＧＰＳ受信回路４５は、衛星信号を受信した際に時刻情報も同時に取得できる。
【００８２】
タイムゾーン設定部５８５は、測位モードでの受信処理で位置情報の取得に成功した場合、取得された位置情報（緯度、経度）に基づいてタイムゾーンデータを設定する。具体的には、タイムゾーンデータ記憶部６２０から位置情報に対応するタイムゾーンデータ（タイムゾーン情報つまり時差情報）を選択して取得し、タイムゾーンデータ６１５に記憶させる。
例えば、日本標準時（ＪＳＴ）は、ＵＴＣに対して９時間進めた時刻（ＵＴＣ＋９）であるため、取得した位置情報が日本である場合には、タイムゾーン設定部５８５は、タイムゾーンデータ記憶部６２０から日本標準時の時差情報（＋９時間）を読み出してタイムゾーンデータ６１５に記憶する。
また、タイムゾーン設定部５８５は、操作装置４７の操作により、時差情報３７または都市情報３６のいずれかが選択された場合、選択された時差情報３７または都市情報３６に対応するタイムゾーンデータを、タイムゾーンデータ６１５に記憶させる。
【００８３】
時刻修正部５８６は、測時モードや測位モードでの受信処理で時刻情報の取得に成功した場合、取得された時刻情報を受信時刻データ６１１に記憶する。これにより、内部時刻データ６１３、表示用時刻データ６１４が修正される。
また、時刻修正部５８６は、表示用時刻データ６１４を、タイムゾーンデータ６１５を用いて修正する。このため、表示用時刻データ６１４は、ＵＴＣである内部時刻データ６１３に各タイムゾーンデータを加算した時刻となる。
表示制御部５８７は、駆動回路５５を制御して、各指針２１〜２４およびカレンダー車２０の移動を制御する。
【００８４】
［受信制御処理］
次に、電子時計１が実行する受信制御処理について、図７のフローチャートに基づき説明する。
動作制御部５８１は、毎日、光条件判定部５８２の動作開始時刻である６時００分００秒（表示用時刻データ６１４が示す時刻）に、光条件判定部５８２の動作条件に該当したと判定し、光条件判定部５８２を作動させて動作状態とする。なお、動作開始時刻は、記憶装置６０に予め記憶されている。
図８に示すように、光条件判定部５８２が作動して動作状態になると、表示制御部５８７は、指針２４を制御して光受信待機指標１３を指示させることで、光受信待機情報を表示させる（Ｓ１１）。なお、光条件判定部５８２が非動作状態の場合、表示制御部５８７は、指針２４を制御して電池インジケーター１２を指示させることで、所定情報として電池残量を表示させる。
【００８５】
光条件判定部５８２は、作動して動作状態になると、一定周期で充電状態検出回路５３を作動させる。本実施形態では、光条件判定部５８２は、１秒間隔の制御信号ＣＴＬ１を制御回路５８に出力させ、充電状態検出回路５３を作動している。制御信号ＣＴＬ１が入力されると、充電状態検出回路５３は、充電状態であるか否かを示す検出結果ＲＳ１を制御回路５８に出力する。このため、光条件判定部５８２は、充電中であるか否かを判定する。なお、充電制御用スイッチ５２は、後述するように、電圧検出回路５４が作動されるタイミングのみオフに切り替えられる。
【００８６】
［非充電状態での制御］
電子時計１に光が当たっておらず、太陽電池１３５で発電が行われていない場合、充電状態検出回路５３は「非充電中」の検出結果ＲＳ１を制御回路５８に出力する。この場合、光条件判定部５８２は、充電中ではないと判定し、制御回路５８からはローレベルの制御信号ＣＴＬ２を出力する。この場合は、電子時計１が屋外に配置されておらず、衛星信号の受信に適した場所に配置されていない可能性が高い。
【００８７】
［充電状態での制御］
一方、光条件判定部５８２は、電子時計１に光が当たり、充電状態であると判定した場合、電圧検出回路５４を作動する。この際、充電制御用スイッチ５２は、光条件判定部５８２によってオフ状態に切り替えられる。すなわち、光条件判定部５８２は、充電状態検出回路５３で充電中であることを検出すると、１秒間隔の制御信号ＣＴＬ２を制御回路５８に出力させ、電圧検出回路５４を作動する。この際、充電制御用スイッチ５２は、制御回路５８からの制御信号ＣＴＬ３によってオフ状態に制御されるので、太陽電池１３５および電圧検出回路５４は、二次電池１３０とは切り離される。このため、電圧検出回路５４は、二次電池１３０の充電電圧の影響を受けることなく、太陽電池１３５に当たる光の照度に対応する開放電圧を検出できる。
なお、充電制御用スイッチ５２がオフ状態では充電状態検出回路５３によって充電状態を検出できない。このため、光条件判定部５８２は、充電状態検出回路５３に対する制御信号ＣＴＬ１の出力タイミングと、電圧検出回路５４に対する制御信号ＣＴＬ２の出力タイミングとが一致しないように、制御回路５８を制御して制御信号ＣＴＬ１と制御信号ＣＴＬ２の出力タイミングをずらしている。
【００８８】
本実施形態では、電圧検出回路５４で検出される開放電圧は、図９に示すように、太陽電池１３５における照度が高くなるほど高くなる。
すなわち、開放電圧は太陽電池１３５における照度と相関関係があるため、電圧検出回路５４は、開放電圧を検出することで、太陽電池１３５に照射される光の照度を検出できる。つまり、充電状態検出回路５３および電圧検出回路５４は、太陽電池１３５に照射される光の照度を検出する照度検出回路の一例である。
そして、電圧検出回路５４は、開放電圧の検出結果ＲＳ２を、制御回路５８に出力する。
【００８９】
ここで、動作制御部５８１は、時刻が、光条件判定部５８２の動作終了時刻である２０時００分００秒か否かを判定する（Ｓ１２）。なお、動作終了時刻は、記憶装置６０に予め記憶されている。
Ｓ１２でＮＯと判定された場合、すなわち、時刻が２０時００分００秒よりも前の場合、光条件判定部５８２は、電圧検出回路５４から出力される検出結果ＲＳ２により、太陽電池１３５に照射された光の照度が照度閾値以上か否かを判定する。この判定は、検出結果ＲＳ２を受信する毎に１秒間隔で行われる。
本実施形態では、照度閾値は、太陽電池１３５に照射される光の照度に対して図１０に示す関係にある検出レベルを用いて設定される。図１０における照度は、各検出レベルにおける下限値を表したものである。例えば、検出レベルが「４」とは、照度が３０００ルクス以上であることを意図する。本実施形態では、照度閾値は、検出レベル「４」（３０００ルクス）に設定されている。
検出レベルと開放電圧とは、図１０に示す関係にある。例えば、検出レベルが「４」とは、開放電圧が５．２Ｖ以上であることを意図する。
光条件判定部５８２は、図１０に示す関係に基づき、検出結果ＲＳ２から検出レベルを取得し、取得した検出レベルと照度閾値として設定した検出レベルとを比較することで、太陽電池１３５に照射された光の照度が、照度閾値として設定した検出レベル以上か否かを判定する（Ｓ１３）。なお、検出レベルと開放電圧と照度との関係は、図１０に示す関係に限定されず、適宜設定することができる。また、検出レベルは、「０」〜「１０」の１１段階に分けられているが、より多い段階に分けたり、反対に、より少ない段階に分けたりしてもよい。
Ｓ１３でＮＯと判定された場合、すなわち、太陽電池１３５に光が当たっていない、または、太陽電池１３５に光が当たって充電状態ではあるが、光が比較的暗く、照度が照度閾値未満の場合、光条件判定部５８２は、処理をＳ１２に戻す。これにより、Ｓ１２でＹＥＳと判定されるか、または、Ｓ１３でＹＥＳと判定されるまで、Ｓ１２，Ｓ１３の処理が繰り返し実行される。すなわち、自動受信条件に該当したか否かの判定処理（判定ステップ）が継続して実行される。
【００９０】
Ｓ１３でＹＥＳと判定された場合、すなわち、太陽電池１３５に当たる光が比較的明るく、照度が照度閾値以上の場合、電子時計１が屋外に配置され、受信に適した環境にある可能性が高いため、光条件判定部５８２は、自動受信条件に該当したと判定し、自動受信制御部５８３を作動させる。これにより、受信処理が実行される。
また、光条件判定部５８２が自動受信制御部５８３を作動させると、図８に示すように、動作制御部５８１は、光条件判定部５８２の非動作条件に該当したと判定し、光条件判定部５８２を非動作状態とする。
【００９１】
自動受信制御部５８３は、作動すると、ＧＰＳ受信回路４５を作動してＧＰＳ衛星１００から衛星信号を受信する受信処理を開始する（Ｓ１４）。なお、ＧＰＳ受信回路４５は、自動受信制御部５８３によって作動されるまで、非動作状態とされている。すなわち、光条件判定部５８２が動作状態にあり、自動受信条件に該当したか否かの判定が行われている期間、ＧＰＳ受信回路４５は非動作状態とされている。
自動受信処理では、測時モードでの受信処理が行われる。すなわち、測位モードでは、位置を検出するために３個以上のＧＰＳ衛星１００から信号を受信しなければならず、受信処理時間も長くなる。このため、信号受信が終了するまで電子時計１を屋外に配置しておくことが好ましいが、自動受信処理ではユーザーが受信中であることに気がつかず、受信中であっても屋内に移動してしまうおそれもある。このため、測位モードでの受信は、ユーザーが意図して受信操作を行った場合のみ、つまり手動受信処理時のみ行うことが好ましい。
一方、測時モードでは、１つのＧＰＳ衛星１００からの信号受信でも時刻情報を取得でき、受信処理時間も短くできる。従って、ユーザーが意図しなくても、受信処理を実行することができ、自動受信処理に適している。ただし、自動受信処理を測位モードで実行するように構成してもよいし、自動受信処理を測時モードおよび測位モードのいずれかで実行するかを、操作装置４７のモード選択操作に応じて選択できるようにしてもよい。
【００９２】
次に、時刻修正部５８６は、Ｓ１４で開始される受信処理により受信に成功したか否かを判定する（Ｓ１５）。
なお、ＧＰＳ受信回路４５では、まず、ＧＰＳ衛星１００の検索を行い、ＧＰＳ受信回路４５で衛星信号を検出する。そして、衛星信号を検出した場合（ＧＰＳ衛星１００を捕捉した場合）には、引き続き衛星信号の受信を継続し、時刻情報を受信する。このように時刻情報を受信できた場合には、受信に成功したと判定する。それ以外の場合、すなわち、ＧＰＳ受信回路４５で衛星信号が検出されない場合や、時刻情報を受信できなかった場合には、受信に失敗したと判定する。
Ｓ１５でＹＥＳと判定された場合、時刻修正部５８６は、受信された時刻情報を受信時刻データ６１１に記憶する。これにより、内部時刻データ６１３、表示用時刻データ６１４が修正される（Ｓ１６）。
【００９３】
そして、表示制御部５８７は、光受信待機情報を表示している指針２４を制御して、電池インジケーター１２を指示させ、電池残量を表示させる（Ｓ１７）。
そして、制御回路５８は、ＧＰＳ受信回路４５を非動作状態とし、受信処理を終了させ、受信制御処理を終了する。
【００９４】
一方、時刻が２０時００分００秒となり、Ｓ１２でＹＥＳと判定された場合、日没を迎え、太陽電池１３５に太陽光が照射されることがなく、自動受信条件に該当することが期待できないため、動作制御部５８１は、光条件判定部５８２の非動作条件に該当したと判定し、光条件判定部５８２を非動作状態とし、処理をＳ１７に進める。これにより、指針２４によって電池残量が表示された後、受信制御処理が終了する。
また、受信に失敗し、Ｓ１５でＮＯと判定された場合、制御回路５８は、処理をＳ１７に進める。これにより、指針２４によって電池残量が表示された後、受信制御処理が終了する。
【００９５】
このように、受信制御処理では、図８に示すように、光条件判定部５８２が動作状態にある期間、および、受信処理が実行されている期間に、指針２４は光受信待機情報を表示し、それ以外の期間に、指針２４は電池残量を表示する。
なお、本実施形態では、図８に示すように、表示制御部５８７は、指針２４に光受信待機情報を表示させている場合、Ｂボタン３が押され、表示切替操作が行われると、次の開放電圧の検出タイミングまで、指針２４に電池インジケーター１２を指示させて電池残量を表示させる。なお、次の開放電圧の検出タイミングではなく、１秒などの予め設定された時間や、操作装置４７の操作が行われるまでの間、指針２４に電池残量を表示させてもよい。これによれば、ユーザーは、指針２４が光受信待機情報を表示している場合に、電池残量を知りたいと考えた場合、Ｂボタン３を押すことで、直ちに電池残量を表示させることができる。
【００９６】
次に、本実施形態における受信結果表示処理について説明する。
Ａボタン２が押され、結果表示操作が行われると、操作装置４７から結果表示要求信号が出力される。そして、表示制御部５８７は、結果表示要求信号に応じて、直前に実行された受信処理が成功したか否かを示す受信結果情報を表示する。
ここで、当該受信処理が自動受信処理である場合、表示制御部５８７は、指針２１に「Ｙ」または「Ｎ」を指示させ、指針２４に光受信待機指標１３を指示させることで、受信結果情報を表示させる。
なお、受信処理に成功または失敗した直後に、自動受信制御部５８３が結果表示要求信号を出力し、当該受信処理が自動受信処理である場合は、表示制御部５８７が前記受信結果情報を表示させる構成としてもよい。
【００９７】
［第１実施形態の作用効果］
ユーザーは、光受信待機情報が表示されている場合、電子時計１が、太陽電池１３５に照射される光の照度が照度閾値以上になれば受信処理が実行される状態にあること、すなわち、自動受信機能が有効であることが分かる。このため、例えば、屋外に出る予定がある場合は、受信処理が実行されることを予測できる。
また、ユーザーは、光受信待機情報が表示されていない場合、電子時計１が、太陽電池１３５に照射される光の照度が照度閾値以上になっても受信処理が実行されない状態にあること、すなわち、自動受信機能が無効であることが分かる。例えば、６時〜２０時の間で、光受信待機情報が表示されていない場合は、既に受信処理が実行されたことが分かる。このため、例えば、受信処理を実行させる必要があると判断した場合は、電子時計１を屋外に配置した状態で、操作装置４７を操作して強制的に手動で受信処理を実行させるなどの対応をとることができる。
【００９８】
ユーザーは、指針２４が光受信待機情報を表示している場合は、光条件判定部５８２が動作状態にあることが分かり、指針２４が光受信待機情報を表示していない場合は、光条件判定部５８２が非動作状態にあることが分かる。
このため、指針２４が受信待機情報を表示しない場合は、指針２４に電池残量を表示させることで、光条件判定部５８２が非動作状態にあることと、電池残量とを同時に表示させることができる。
このため、光受信待機情報と電池残量とを別々の指針で表示する場合と比べて、電子時計１が備える指針の数を削減できる。
また、ユーザーが、光受信待機情報が表示されていないために、操作装置４７を操作して強制的に手動で受信処理を実行させようとする場合、指針２４は電池残量を表示しているため、ユーザーは、受信処理を強制的に手動で実行させる前に、電池残量が低下していないかを判断できる。
【００９９】
動作制御部５８１は、光条件判定部５８２の動作条件に該当した場合、光条件判定部５８２を動作状態とし、光条件判定部５８２の非動作条件に該当した場合、光条件判定部５８２を非動作状態とする。これによれば、例えば、ユーザーが操作装置４７を操作して光条件判定部５８２を動作状態または非動作状態に切り替える必要がないため、電子時計１を使い易くできる。
また、ユーザーは、受信結果情報が表示されることで、自動受信処理に成功したか否かを判断できる。また、ユーザーは、受信結果情報を表示させたいと考えた場合、操作装置４７の結果表示操作を行うことで、直ちに受信結果情報を表示させることができる。
【０１００】
［第２実施形態］
第１実施形態の電子時計１は、太陽電池１３５に照射される光の照度が照度閾値以上か否かを判定し、照度が照度閾値以上の場合、自動受信条件に該当したと判定し、受信処理を実行している。これに対して、第２実施形態の電子時計は、時刻が予め設定された所定時刻か否かを判定し、時刻が所定時刻の場合、自動受信条件に該当したと判定し、受信処理を実行する。
【０１０１】
第２実施形態の電子時計では、図１１に示すように、指針２４の回転領域の外側に、夏時間の設定の表記、電池インジケーター１２、受信モードの表記に加えて、当該回転領域の１０時方向の外側に、時計の形状をした記号である定時受信待機指標１４が表記されている。指針２４は、定時受信待機指標１４を指示することで、後述する時刻条件判定部５８８が動作状態であることを示す定時受信待機情報（第２受信待機情報）を表示する。
また、Ａボタン２が押され、結果表示操作が行われた場合、直前に実行された受信処理が自動受信処理である場合は、指針２４は定時受信待機指標１４を指示する。
ここで、定時受信待機指標１４は、指針２４が周回する周回方向において、電池インジケーター１２の上記第１の位置に対して上記第２の位置とは反対側であり、且つ、第２の位置との距離よりも第１の位置との距離が短くなる位置に配置されていることが好ましい。
【０１０２】
図１２は、第２実施形態における電子時計の回路構成を示すブロック図である。この図に示すように、制御装置５０Ａの制御回路５８Ａは、動作制御部５８１、時刻条件判定部５８８、自動受信制御部５８３、手動受信判定制御部５８４、タイムゾーン設定部５８５、時刻修正部５８６、表示制御部５８７として機能する。
時刻条件判定部（第２条件判定部）５８８は、動作状態の場合、時刻が予め設定された所定時刻か否かを判定する。そして、時刻が所定時刻の場合、自動受信条件に該当したと判定し、自動受信制御部５８３を作動させる。自動受信制御部５８３は、作動すると、ＧＰＳ受信回路４５を作動して測時モードでの受信処理を実行する（定時受信処理）。
本実施形態では、動作制御部５８１は、時刻条件判定部５８８を動作状態または非動作状態に切り替える。すなわち、動作制御部５８１は、予め設定された時刻条件判定部５８８の動作条件に該当するか否かを判定し、動作条件に該当した場合、時刻条件判定部５８８を動作状態とする。また、動作制御部５８１は、予め設定された時刻条件判定部５８８の非動作条件に該当するか否かを判定し、非動作条件に該当した場合、時刻条件判定部５８８を非動作状態とする。
【０１０３】
第２実施形態における受信制御処理では、図１３、図１４に示すように、動作制御部５８１は、毎日、時刻条件判定部５８８の動作開始時刻である０時００分００秒に、時刻条件判定部５８８の動作条件に該当したと判定し、時刻条件判定部５８８を作動させて動作状態とする。
時刻条件判定部５８８が作動して動作状態になると、表示制御部５８７は、指針２４を制御して定時受信待機指標１４を指示させることで、定時受信待機情報を表示させる（Ｓ２１）。なお、時刻条件判定部５８８が非動作状態の場合、表示制御部５８７は、指針２４を制御して電池インジケーター１２を指示させることで、電池残量を表示させる。
【０１０４】
時刻条件判定部５８８は、作動して動作状態になると、時刻（表示用時刻データ６１４が示す時刻）が所定時刻か否かを判定する（Ｓ２２）。本実施形態では、所定時刻は、７時００分００秒に設定されている。Ｓ２２の処理は、時刻が所定時刻になるまで繰り返し実行される。すなわち、自動受信条件に該当したか否かの判定処理（判定ステップ）が継続して実行される。
Ｓ２２でＹＥＳと判定された場合、時刻条件判定部５８８は、自動受信条件に該当したと判定し、自動受信制御部５８３を作動させる。これにより、Ｓ１４で受信処理が実行される。
また、時刻条件判定部５８８が自動受信制御部５８３を作動させると、動作制御部５８１は、時刻条件判定部５８８の非動作条件に該当したと判定し、時刻条件判定部５８８を非動作状態とする。
その後、第１実施形態と同様に、Ｓ１５で受信に成功したか否かの判定が行われ、Ｓ１６で時刻の修正が行われ、Ｓ１７で電池残量の表示が行われた後、受信制御処理は終了する。
【０１０５】
なお、本実施形態における受信結果表示処理では、直前に実行された受信処理が自動受信処理である場合、表示制御部５８７は、結果表示要求信号に応じて、指針２４に定時受信待機指標１４を指示させることで、受信結果情報を表示させる。
第２実施形態におけるその他の構成は、第１実施形態と同様である。
【０１０６】
［第２実施形態の作用効果］
本実施形態によれば、第１実施形態と同様の構成により、同様の作用効果を得ることができる。
すなわち、ユーザーは、定時受信待機情報が表示されている場合、時刻が進み所定時刻になれば受信処理が実行されることを予測できる。
また、ユーザーは、定時受信待機情報が表示されていない場合、既に受信処理が実行され、翌日になるまでは、時刻が進んでも受信処理が実行されないことが分かる。このため、例えば、受信処理を実行させる必要があると判断した場合は、電子時計を屋外に配置した状態で、操作装置４７を操作して強制的に手動で受信処理を実行させるなどの対応をとることができる。
【０１０７】
［第３実施形態］
第３実施形態の電子時計は、光自動受信処理および定時自動受信処理の両方を実行する。
第３実施形態の電子時計では、図１５に示すように、指針２４の回転領域の外側に、夏時間の設定の表記、電池インジケーター１２、受信モードの表記に加えて、当該回転領域の１０時方向の外側に、定時受信待機指標１４が表記され、電池インジケーター１２と定時受信待機指標１４との間に光受信待機指標１３が表記されている。
また、Ａボタン２が押され、結果表示操作が行われた場合、直前に実行された受信処理が光自動受信処理である場合は、指針２４は光受信待機指標１３を指示し、当該受信処理が定時自動受信処理である場合は、指針２４は定時受信待機指標１４を指示する。
【０１０８】
第３実施形態における制御回路は、動作制御部５８１、光条件判定部５８２、時刻条件判定部５８８、自動受信制御部５８３、手動受信判定制御部５８４、タイムゾーン設定部５８５、時刻修正部５８６、表示制御部５８７として機能する。
【０１０９】
第３実施形態における受信制御処理では、図１６のフローチャートに示すように、制御回路は、毎日０時００分００秒に、変数Ｒが「１」であるか否かを判定する（Ｓ３１）。変数Ｒは、所定時間である２４時間以内に、衛星信号の受信処理が行われた場合には、受信が成功したか否かにかかわらず、「０」に設定される。一方で、２４時間以内に１回も受信処理が行われなかった場合には、すなわち、電子時計の配置環境が屋内であると判断された屋内配置状態が２４時間以上継続した場合には、「１」に設定される。なお、前記所定時間は、２４時間に限らずいずれの時間としてもよいが、通常は、半日（１２時間）、１日（２４時間）、２日（４８時間）など、半日以上の時間に設定することが好ましい。
【０１１０】
Ｓ３１でＮＯと判定された場合（Ｒ＝０の場合）、動作制御部５８１は、光条件判定部５８２の動作条件に該当したと判定し、光条件判定部５８２を作動させて動作状態とする。
光条件判定部５８２が作動して動作状態になると、Ｓ１１で、表示制御部５８７が指針２４に光受信待機指標１３を指示させることで、光受信待機情報を表示させる。
光条件判定部５８２は、作動して動作状態になると、Ｓ１３で、太陽電池１３５に照射された光の照度が照度閾値以上か否かを判定する（Ｓ１３）。
Ｓ１３でＮＯと判定された場合、動作制御部５８１は、時刻が２３時５９分５９秒かを判定する（Ｓ３３）。Ｓ３３でＹＥＳと判定された場合、動作制御部５８１は、光条件判定部５８２の非動作条件に該当したと判定し、光条件判定部５８２を非動作状態とする。そして、制御回路は、変数Ｒに「１」を設定する（Ｓ３４）。そして、Ｓ１７で、指針２４によって電池残量が表示され、受信制御処理は終了する。Ｓ３３でＮＯと判定された場合、制御回路は、処理をＳ３１に戻す。
一方、Ｓ１３でＹＥＳと判定された場合、光条件判定部５８２は、自動受信条件に該当したと判定し、自動受信制御部５８３を作動させる。これにより、Ｓ１４で受信処理が実行される。また、動作制御部５８１は、光条件判定部５８２の非動作条件に該当したと判定し、光条件判定部５８２を非動作状態とする。
すなわち、変数Ｒが「０」に設定されている場合は、Ｓ１３でＹＥＳと判定されるか、Ｓ３３でＹＥＳと判定されるまで、光条件判定部５８２が動作状態となり、照度が照度閾値以上か否かの判定が繰り返し行われ、光受信待機情報が継続して表示される。
【０１１１】
一方、Ｓ３１でＹＥＳと判定された場合（Ｒ＝１の場合）、動作制御部５８１は、時刻条件判定部５８８の動作条件に該当したと判定し、時刻条件判定部５８８を作動させて動作状態とする。
時刻条件判定部５８８が作動して動作状態になると、表示制御部５８７が指針２４に定時受信待機指標１４を指示させることで、定時受信待機情報を表示させる（Ｓ２１）。
時刻条件判定部５８８は、作動して動作状態になると、Ｓ２２で、時刻が所定時刻か否かを判定する。
Ｓ２２でＮＯと判定された場合、Ｓ３３で、時刻が２３時５９分５９秒かの判定が行われる。Ｓ３３でＹＥＳと判定された場合、動作制御部５８１は、時刻条件判定部５８８の非動作条件に該当したと判定し、時刻条件判定部５８８を非動作状態とする。
一方、Ｓ２２でＹＥＳと判定された場合、時刻条件判定部５８８は、自動受信条件に該当したと判定し、自動受信制御部５８３を作動させる。これにより、Ｓ１４で受信処理が実行される。また、動作制御部５８１は、時刻条件判定部５８８の非動作条件に該当したと判定し、時刻条件判定部５８８を非動作状態とする。
すなわち、変数Ｒが「１」に設定されている場合は、Ｓ２２でＹＥＳと判定されるか、Ｓ３３でＹＥＳと判定されるまで、時刻条件判定部５８８が動作状態となり、時刻が所定時刻か否かの判定が繰り返し行われ、時刻受信待機情報が継続して表示される。
【０１１２】
Ｓ１４で受信処理が開始された後、Ｓ１５で受信に成功したか否かの判定が行われ、Ｓ１６で時刻の修正が行われる。
そして、Ｓ１６の処理の後、制御回路は、光自動受信処理が成功したか否かを判定する（Ｓ３５）。Ｓ３５でＹＥＳと判定された場合、光自動受信処理に成功した時刻を、所定時刻に設定する（Ｓ３６）。
Ｓ１５でＮＯと判定された場合、Ｓ３５でＮＯと判定された場合、または、Ｓ３６の処理の後、制御回路は、変数Ｒに「０」を設定する（Ｓ３７）。すなわち、受信処理が実行された場合は、受信が成功したか否かにかかわらず、変数Ｒに「０」を設定する。
そして、Ｓ１７で、指針２４によって電池残量が表示され、受信制御処理は終了する。
なお、本実施形態では、光自動受信処理に成功した時刻を、所定時刻に設定しているが、光自動受信処理に成功したか否かに関わらず、受信処理が実行された時刻を所定時刻に設定するようにしてもよい。また、システムリセットの後など、所定時刻が設定されていない場合は、定時自動受信が実行されないように構成してもよいし、所定時刻を予め決められた初期値に設定してもよい。
【０１１３】
このような受信制御処理による表示の遷移例を図１７に示す。
図１７の例では、制御回路が制御を開始した１日目、変数Ｒに「０」が設定されている。このため、光条件判定部５８２が動作状態となり、太陽電池１３５に照射される光の照度の判定が行われ、光受信待機情報が表示される。この例では、１日目に、光自動受信処理が実行され、変数Ｒに「０」が再設定されている。
２日目は、変数Ｒに「０」が設定されているため、光条件判定部５８２が動作状態となり、照度の判定が行われ、光受信待機情報が表示される。この例では、２日目に、光自動受信処理が実行されず、変数Ｒに「１」が設定されている。
３日目は、変数Ｒに「１」が設定されているため、時刻条件判定部５８８が動作状態となり、時刻の判定が行われ、定時受信待機情報が表示される。この例では、３日目に、定時自動受信処理が実行され、変数Ｒに「０」が設定されている。
４日目は、変数Ｒに「０」が設定されているため、光条件判定部５８２が動作状態となり、照度の判定が行われ、光受信待機情報が表示される。
【０１１４】
次に、本実施形態における受信結果表示処理について説明する。
Ａボタン２が押され、結果表示操作が行われると、操作装置４７から結果表示要求信号が出力される。そして、表示制御部５８７は、結果表示要求信号に応じて、直前に実行された受信処理が成功したか否かを示す受信結果情報を表示する。
ここで、当該受信処理が光自動受信処理である場合は、表示制御部５８７は、指針２１に「Ｙ」または「Ｎ」を指示させ、指針２４に光受信待機指標１３を指示させることで、第１受信結果情報を表示させる。
また、当該受信処理が定時自動受信処理である場合は、表示制御部５８７は、指針２１に「Ｙ」または「Ｎ」を指示させ、指針２４に定時受信待機指標１４を指示させることで、第２受信結果情報を表示させる。
なお、受信処理に成功または失敗した直後に、自動受信制御部５８３が結果表示要求信号を出力し、当該受信処理が自動受信処理である場合は、表示制御部５８７が第１受信結果情報または第２受信結果情報を表示させる構成としてもよい。
第３実施形態におけるその他の構成は、第１および第２実施形態と同様である。
【０１１５】
［第３実施形態の作用効果］
本実施形態によれば、第１、第２実施形態と同様の構成により、同様の作用効果を得ることができる。また、以下の作用効果を得ることができる。
すなわち、ユーザーは、光受信待機情報が表示されている場合は、光条件判定部５８２が動作状態にあり、電子時計が、太陽電池１３５に照射される光の照度が照度閾値以上になれば受信処理が実行される状態にあることが分かる。また、ユーザーは、定時受信待機情報が表示されている場合は、時刻条件判定部５８８が動作状態にあり、電子時計が、時刻が進み所定時刻になれば受信処理が実行される状態にあることが分かる。
また、ユーザーは、光受信待機情報および定時受信待機情報のいずれも表示されていない場合、光条件判定部５８２および時刻条件判定部５８８がいずれも非動作状態にあり、太陽電池１３５に照射される光の照度が照度閾値以上になっても、時刻が進んでも受信処理が実行されないことが分かる。このため、例えば、受信処理を実行させる必要があると判断した場合は、電子時計を屋外に配置した状態で、操作装置４７を操作して強制的に手動で受信処理を実行させるなどの対応をとることができる。
【０１１６】
ユーザーは、第１受信結果情報が表示されることで、光自動受信処理に成功したか否かを判断できる。また、ユーザーは、第２受信結果情報が表示されることで、定時自動受信処理に成功したか否かを判断できる。
これによれば、例えば、光自動受信処理に失敗した場合は、例えば、屋内においてスポットライトなどの強い照明の光が電子時計に当たり、受信処理が実行されたことなどが原因として考えられる。このため、ユーザーは、強い照明の光が電子時計に当たらないように注意して電子時計を使用することで、受信処理に失敗することを抑制でき、消費電力を低減できる。
また、定時自動受信処理に失敗した場合は、所定時刻における電子時計の受信環境が適切ではないと判断できるため、ユーザーは、例えば所定時刻の設定を変更することで、受信処理に失敗することを抑制でき、消費電力を低減できる。
また、ユーザーは、受信結果情報を表示させたいと考えた場合、操作装置４７の結果表示操作を行うことで、直ちに受信結果情報を表示させることができる。
【０１１７】
［第４実施形態］
第３実施形態の電子時計は、光条件判定部５８２が動作状態の場合、時刻条件判定部５８８は非動作状態となり、時刻条件判定部５８８が動作状態の場合、光条件判定部５８２は非動作状態となる。これに対して、第４実施形態では、光条件判定部５８２および時刻条件判定部５８８が同時に動作状態とされる場合がある。
【０１１８】
第４実施形態の電子時計では、図１８に示すように、指針２４の回転領域の外側に、夏時間の設定の表記、電池インジケーター１２、受信モードの表記に加えて、当該回転領域の１０時方向の外側に、虫眼鏡の形状をした記号である組合せ受信待機指標１５が表記されている。指針２４は、組合せ受信待機指標１５を指示することで、光条件判定部５８２および時刻条件判定部５８８が両方とも動作状態であることを示す組合せ受信待機情報を表示する。
また、Ａボタン２が押され、結果表示操作が行われた場合、直前に実行された受信処理が光自動受信処理である場合は、指針２４は光受信待機指標１３を指示し、当該受信処理が定時自動受信処理である場合は、指針２４は組合せ受信待機指標１５を指示する。
本実施形態の電子時計の回路構成は、第３実施形態と同様である。
【０１１９】
第４実施形態における受信制御処理では、図１９のフローチャートに示すように、Ｓ１１，Ｓ１３−Ｓ１７，Ｓ２２，Ｓ３１，Ｓ３３，Ｓ３４，Ｓ３７，Ｓ４１−Ｓ４４の処理が実行される。ここで、Ｓ１１，Ｓ１３−Ｓ１７，Ｓ２２，Ｓ３１，Ｓ３３，Ｓ３４，Ｓ３７の処理は、第３実施形態と同じため、説明は省略する。
本実施形態における受信制御処理では、Ｓ３１でＹＥＳと判定された場合、すなわち、変数Ｒが「１」に設定されている場合、動作制御部５８１は、光条件判定部５８２および時刻条件判定部５８８の動作条件に該当したと判定し、光条件判定部５８２および時刻条件判定部５８８を作動させて動作状態とする。
光条件判定部５８２および時刻条件判定部５８８が動作状態になると、表示制御部５８７が指針２４に組合せ受信待機指標１５を指示させることで、組合せ受信待機情報を表示させる（Ｓ４１）。
【０１２０】
そして、Ｓ２２で、時刻条件判定部５８８によって時刻が所定時刻か否かの判定が行われる。Ｓ２２でＹＥＳと判定された場合、時刻条件判定部５８８は、自動受信制御部５８３を作動させる。これにより、Ｓ１４で受信処理が実行される。また、動作制御部５８１は、光条件判定部５８２および時刻条件判定部５８８の非動作条件に該当したと判定し、光条件判定部５８２および時刻条件判定部５８８を非動作状態とする。
一方、Ｓ２２でＮＯと判定された場合、手動受信判定制御部５８４は、Ａボタン２が３秒以上押されたか否かを判定することで、手動受信処理を開始させるか否かを判定する（Ｓ４２）。Ｓ４２でＹＥＳと判定された場合、手動受信判定制御部５８４は、Ｓ１４で受信処理を実行する。Ａボタン２が３秒以上６秒未満押されると、測時モードでの受信処理（測時モードの手動受信処理）を実行する。また、Ａボタン２が６秒以上押されると、測位モードでの受信処理（測位モードの手動受信処理）を実行する。また、動作制御部５８１は、光条件判定部５８２および時刻条件判定部５８８の非動作条件に該当したと判定し、光条件判定部５８２および時刻条件判定部５８８を非動作状態とする。
【０１２１】
Ｓ４２でＮＯと判定された場合、Ｓ１３で、光条件判定部５８２によって太陽電池１３５に照射された光の照度が照度閾値以上か否かの判定が行われる。
そして、Ｓ１３でＹＥＳと判定された場合、光条件判定部５８２は、自動受信制御部５８３を作動させる。これにより、Ｓ１４で受信処理が実行される。また、動作制御部５８１は、光条件判定部５８２および時刻条件判定部５８８の非動作条件に該当したと判定し、光条件判定部５８２および時刻条件判定部５８８を非動作状態とする。
一方、Ｓ１３でＮＯと判定された場合、光条件判定部５８２は、処理をＳ３３に進める。これにより、時刻が２３時５９分５９秒か否かの判定が行われる。Ｓ３３でＮＯと判定された場合、動作制御部５８１は、光条件判定部５８２および時刻条件判定部５８８の非動作条件に該当したと判定し、光条件判定部５８２および時刻条件判定部５８８を非動作状態とする。
【０１２２】
すなわち、このような受信制御処理では、変数Ｒが「０」に設定されている場合は、第３実施形態と同様に、Ｓ１３でＹＥＳと判定されるか、Ｓ３３でＹＥＳと判定されるまで、光条件判定部５８２が動作状態となり、照度が照度閾値以上か否かの判定が繰り返し行われ、光受信待機情報が継続して表示される。
一方、変数Ｒが１に設定されている場合は、Ｓ２２，Ｓ４２，Ｓ１３，Ｓ３３の処理のいずれかでＹＥＳと判定されるまで、光条件判定部５８２および時刻条件判定部５８８が動作状態となり、時刻が所定時刻か否かの判定と、照度が照度閾値以上か否かの判定とが繰り返し行われ、組合せ受信待機情報が継続して表示される。
【０１２３】
また、Ｓ１６で時刻が修正された後、制御回路は、手動受信処理が成功したか否かを判定する（Ｓ４３）。Ｓ４３でＹＥＳと判定された場合、手動受信処理に成功した時刻を、所定時刻に設定し（Ｓ４４）、処理をＳ３７に進める。また、Ｓ４３でＮＯと判定された場合、制御回路は、所定時刻を更新せずに、処理をＳ３７に進める。
このようにして、受信制御処理が実行される。
なお、本実施形態では、手動受信処理に成功した時刻を、所定時刻に設定しているが、光自動受信処理に成功した時刻を、所定時刻に設定してもよい。また、受信処理に成功したか否かに関わらず、受信処理が実行された時刻を所定時刻に設定するようにしてもよい。
【０１２４】
このような受信制御処理による表示の遷移例を図２０に示す。
図２０の例では、制御回路が制御を開始した１日目、変数Ｒに「０」が設定されている。このため、光条件判定部５８２が動作状態となり、太陽電池１３５に照射される光の照度の判定が行われ、光受信待機情報が表示される。この例では、１日目に、光自動受信処理が実行され、変数Ｒに「０」が再設定されている。
２日目は、変数Ｒに「０」が設定されているため、光条件判定部５８２が動作状態となり、照度の判定が行われ、光受信待機情報が表示される。この例では、２日目に、光自動受信処理が実行されず、変数Ｒに「１」が設定されている。
３日目は、変数Ｒに「１」が設定されているため、光条件判定部５８２および時刻条件判定部５８８が動作状態となり、照度の判定および時刻の判定が行われ、組合せ受信待機情報が表示される。この例では、３日目に、定時自動受信処理が実行され、変数Ｒに「０」が設定されている。
４日目は、変数Ｒに「０」が設定されているため、光条件判定部５８２が動作状態となり、照度の判定が行われ、光受信待機情報が表示される。
第４実施形態におけるその他の構成は、第３実施形態と同様である。
【０１２５】
［第４実施形態の作用効果］
本実施形態によれば、第３実施形態と同様の構成により、同様の作用効果を得ることができる。また、以下の作用効果を得ることができる。
１日受信処理が実行されなかった場合は、時刻がずれている可能性がある。この場合、本実施形態によれば、翌日は、光条件判定部５８２および時刻条件判定部５８８が両方動作状態となるため、どちらか一方のみが動作状態となる場合と比べて、受信に成功できる確率を高くでき、時刻修正をし易くできる。
【０１２６】
［他の実施形態］
なお、本発明は前述の実施形態に限定されるものではなく、本発明の目的を達成できる範囲での変形、改良等は本発明に含まれるものである。
【０１２７】
上記各実施形態の電子時計では、指針２４は、文字板１１の平面中心から８時方向に設けられた指針軸に取り付けられているが、本発明はこれに限定されない。例えば、図２１に示すように、指針２４は、文字板１１の平面中心から６時方向に設けられた指針軸に取り付けられていてもよい。
また、指針２４は、図２１、図２２に示すように、曜日も表示できるように構成されていてもよい。図２１、図２２に示す例では、指針２４の回転領域の１時方向から４時方向までの範囲の外側に、七曜を示す英単語の頭文字である「Ｓ（Ｓｕｎｄａｙ）」、「Ｍ（Ｍｏｎｄａｙ）」、「Ｔ（Ｔｕｅｓｄａｙ）」、「Ｗ（Ｗｅｄｎｅｓｄａｙ）」、「Ｔ（Ｔｈｕｒｓｄａｙ）」、「Ｆ（Ｆｒｉｄａｙ）」、「Ｓ（Ｓａｔｕｒｄａｙ）」の文字が表記される。指針２４は、これらの文字のいずれかを指示することで曜日を表示する。
この場合、指針２４は、条件判定部が非動作状態の場合、電池残量または曜日を表示する。電池残量を表示させるか曜日を表示させるかは、例えばリューズ４が０段位置の状態で、Ｂボタン３を押すことで選択できる。すなわち、指針２４は、所定情報として曜日を表示できる。
これによれば、例えば、動作制御部５８１が２日に１度の間隔で条件判定部を動作状態とする場合、ユーザーは、指針２４が曜日を表示しており、かつ、表示されている曜日が、条件判定部が動作状態とされない日に対応している場合、その日は条件判定部が１度も動作状態にならないことが分かる。
また、図２３に示すように、指針２４とは別の指針２５によって曜日を表示してもよい。
また、指針２４は、条件判定部が非動作状態の場合、電池残量や曜日以外の情報を所定情報として表示してもよいし、何の情報も表示しなくてもよい。
【０１２８】
上記第３および第４実施形態において、図２４に示すように、指針２４の回転領域の外側に、受信待機指標として、組合せ受信待機指標１５のみを表記してもよい。この場合、光条件判定部５８２が動作状態の場合も、時刻条件判定部５８８が動作状態の場合も、指針２４は組合せ受信待機指標１５を指示する。
また、第４実施形態において、指針２４の回転領域の外側に、受信待機指標として、光受信待機指標１３と、定時受信待機指標１４とを表記し、指針２４と同じ位置に別の指針を取り付けた構成としてもよい。そして、光条件判定部５８２および時刻条件判定部５８８が両方とも動作状態にある場合、指針２４と前記別の指針によって、光受信待機指標１３と定時受信待機指標１４とを同時に指示する構成としてもよい。
【０１２９】
上記各実施形態では、条件判定部が非動作状態となる、受信処理が実行されている期間も、指針２４により受信待機情報が表示されているが、本発明はこれに限定されない。例えば、受信待機情報は、条件判定部が動作状態の期間のみ表示され、受信処理が実行されている期間は、受信モードが表示されるようにしてもよい。
図２５は、この構成を第２実施形態に対して適用した場合の受信制御処理の一例を示すフローチャートである。
当該受信制御処理では、Ｓ２２でＮＯと判定された場合、すなわち、時刻が所定時刻になって自動受信条件に該当した場合、表示制御部５８７は、定時受信待機情報を表示していた指針２４を移動させて「１」を指示させ、受信モードを表示させる（Ｓ５１）。その後、Ｓ１４で受信処理が実行され、受信に成功または失敗すると、Ｓ１７で、表示制御部５８７は、指針２４に電池残量を表示させる。
これによれば、図２６に示すように、定時受信待機情報は、時刻条件判定部５８８が動作状態の期間のみ表示され、受信処理が実行されている期間は、受信モードが表示される。
【０１３０】
上記各実施形態では、常時、条件判定部が動作状態か非動作状態かの表示が行われるが、本発明はこれに限定されない。例えば、通常時は電池残量が表示され、ボタンが押された場合に、一定時間だけ、条件判定部が動作状態か非動作状態かの表示が行われるようにしてもよい。図２７の例では、ボタンが押されたとき、光条件判定部５８２が動作状態のため、光受信待機情報が一定時間表示されている。
【０１３１】
上記各実施形態では、動作制御部５８１は、毎日決められた時刻になると、条件判定部の動作条件に該当したと判定し、条件判定部を動作状態としているが、本発明はこれに限定されない。例えば、電子時計がその日にはじめて移動する場合、ユーザーが朝起きて電子時計を携帯し、自宅から外に出る場合を想定できる。このため、電子時計が加速度センサーを備え、当該加速度センサーによって電子時計が移動したと判定した場合に、動作条件に該当したと判定し、条件判定部を動作状態とする構成としてもよい。
また、上記第２〜第４実施形態においては、条件判定部を動作状態とする時刻は、定時受信処理が実行される所定時刻に合せて設定されてもよい。例えば、所定時刻の２時間前などに設定されてもよい。
【０１３２】
上記各実施形態では、動作制御部５８１は、受信処理が実行されたり、予め設定された時刻になったりすると、条件判定部の非動作条件に該当したと判定し、条件判定部を非動作状態としているが、本発明はこれに限定されない。例えば、電子時計が一定時間移動しない場合は、ユーザーが外から自宅に帰って来て電子時計を外して放置している場合を想定できる。このため、加速度センサーによって電子時計が一定時間静止していると判定した場合に、非動作条件に該当したと判定し、条件判定部を非動作状態とする構成としてもよい。
また、上記第１〜第３実施形態において、動作制御部５８１は、手動受信処理が実行された場合、条件判定部の非動作条件に該当したと判定し、条件判定部を非動作状態としてもよい。
図２８は、この構成を第１実施形態に対して適用した場合の受信制御処理の一例を示すフローチャートである。
当該受信制御処理では、Ｓ１２でＮＯと判定された場合、手動受信判定制御部５８４は、Ａボタン２が３秒以上押されたか否かを判定することで、手動受信処理を開始させるか否かを判定する（Ｓ５２）。Ｓ５２でＹＥＳと判定された場合、手動受信判定制御部５８４は、Ｓ１４で受信処理を実行する。Ａボタン２が３秒以上６秒未満押されると、測時モードでの受信処理（測時モードの手動受信処理）を実行する。また、Ａボタン２が６秒以上押されると、測位モードでの受信処理（測位モードの手動受信処理）を実行する。この場合、動作制御部５８１は、条件判定部の非動作条件に該当したと判定し、条件判定部を非動作状態とする。なお、Ｓ５２でＮＯと判定された場合、手動受信判定制御部５８４は、処理をＳ１３に進め、太陽電池１３５に照射された光の照度が照度閾値以上か否かの判定が行われる。
【０１３３】
上記第１実施形態では、光条件判定部５８２は、太陽電池１３５に照射される光の照度が照度閾値以上か否かを判定し、照度が照度閾値以上の場合、自動受信条件に該当したと判定しているが、本発明はこれに限定されない。例えば、光条件判定部５８２は、照度が照度閾値以上となる高照度状態の継続時間が、予め設定された時間閾値（例えば１秒）以上か否かを判定し、継続時間が時間閾値以上の場合、自動受信条件に該当したと判定してもよい。なお、前記継続時間は、高照度状態が検出された回数に基づいて判定できる。すなわち、高照度状態か否かの判定が１秒間隔で行われている場合、例えば、高照度状態が２回検出された場合は、高照度状態が１秒継続していると判定でき、高照度状態が１１回検出された場合は、高照度状態が１０秒継続していると判定できる。
これによれば、例えば、ユーザーが屋内において窓際を通過する際に、太陽電池１３５に短時間の間太陽光が照射されるような場合、受信処理が実行されることを抑制できるため、受信処理に失敗することを抑制できる。
【０１３４】
上記第１実施形態では、動作制御部５８１は、毎日６時００分００秒に、光条件判定部５８２の動作条件に該当したと判定し、光条件判定部５８２を動作状態とする。そして、光条件判定部５８２は、動作状態になると、太陽電池１３５に照射される光の照度が照度閾値以上か否かを判定し、照度が照度閾値以上の場合、自動受信条件に該当したと判定しているが、本発明はこれに限定されない。
例えば、動作制御部５８１は、図２９に示すように、太陽電池１３５に照射される光の照度が照度閾値以上となる高照度状態の場合、光条件判定部５８２の動作条件に該当したと判定し、光条件判定部５８２を動作状態とする。これにより、光受信待機情報が表示される。そして、光条件判定部５８２は、動作状態になると、高照度状態の継続時間が、予め設定された時間閾値（例えば１秒）以上か否かを判定し、継続時間が時間閾値以上の場合、自動受信条件に該当したと判定し、自動受信制御部５８３を作動させる構成としてもよい。
なお、図２９の例では、受信処理中は、光受信待機情報ではなく、受信モードが表示されている。
これによれば、ユーザーは、電子時計に受信処理を実行させようと考え、屋外などで太陽電池１３５に光を当てた場合、光受信待機情報が表示されている場合は、太陽電池１３５に照射された光の照度が照度閾値以上であることが分かる。このため、電子時計の状態を維持することで、受信処理を実行させることができる。
また、ユーザーは、光受信待機情報が表示されていない場合には、太陽電池１３５に照射された光の照度が照度閾値未満であることが分かる。このため、電子時計の配置や姿勢を変えることで、太陽電池１３５に照射される光の照度が照度閾値以上となるように調整できる。
【０１３５】
上記各実施形態において、電池残量が予め設定された残量閾値以下であり、電池残量が低下している場合、動作制御部５８１は、条件判定部を強制的に非動作状態としてもよい。この場合、指針２４は電池残量が低下していることを表示するため、ユーザーは、電子時計が、電池残量が低下したことで、自動受信条件に該当しても受信処理が実行されない状態にあると推定できる。
また、電池残量が残量閾値以下の場合、消費電力を低減するため、動作制御部５８１は、例えば３日に１度の間隔で、条件判定部を動作状態にさせてもよい。この場合、ユーザーは、通常であれば条件判定部が動作状態となる時刻になっても、受信待機情報が表示されない場合、その日は条件判定部が動作状態とはならない日であることが分かる。
【０１３６】
上記各実施形態では、指針２４によって受信待機情報が表示されているが、本発明はこれに限定されない。例えば、指針２１〜２３のいずれかによって受信待機情報が表示されるようにしてもよい。また、電子時計が表示装置として液晶表示装置や、ＬＥＤなどを備える場合は、これらの表示装置によって受信待機情報を表示するようにしてもよい。
【０１３７】
本発明は、例えば、時刻が予め決められた時刻になると、自動受信条件に該当したと判定して、ＪＪＹなどの標準電波を受信する電子時計に適用することもできる。
また、本発明は、衛星信号と標準電波の両方を受信する電子時計に適用することもできる。この場合、例えば、電子時計が標準電波を受信できる環境にある場合は、標準電波を受信する標準電波受信モードを設定し、衛星信号を受信する衛星信号受信モードは設定しない。そして、電子時計が標準電波を受信できる環境にない場合は、衛星信号受信モードを設定し、当該衛星信号受信モードが設定されている場合にのみ、条件判定部が動作状態か非動作状態かを表示することが好ましい。
【符号の説明】
【０１３８】
１…電子時計、２…Ａボタン、３…Ｂボタン、４…リューズ、１１…文字板、１２…電池インジケーター、１３…光受信待機指標、１４…定時受信待機指標、１５…組合せ受信待機指標、２４…指針（表示装置）、４５…ＧＰＳ受信回路（受信回路）、４６…計時装置、４７…操作装置、５０，５０Ａ…制御装置、５１…ダイオード、５２…充電制御用スイッチ、５３…充電状態検出回路（照度検出回路）、５４…電圧検出回路（照度検出回路）、５５…駆動回路、５６…電池残量検出回路、５８，５８Ａ…制御回路、６０…記憶装置、１００…ＧＰＳ衛星、１１０…アンテナ体、１３０…二次電池、１３５…太陽電池、１４０…駆動機構（表示装置）、５２１…スイッチング素子、５８１…動作制御部、５８２…光条件判定部（第１条件判定部）、５８３…自動受信制御部、５８４…手動受信判定制御部、５８５…タイムゾーン設定部、５８６…時刻修正部、５８７…表示制御部、５８８…時刻条件判定部（第２条件判定部）。
【図１】
2018009929.tif 000003
【図２】
2018009929.tif 000004
【図３】
2018009929.tif 000005
【図４】
2018009929.tif 000006
【図５】
2018009929.tif 000007
【図６】
2018009929.tif 000008
【図７】
2018009929.tif 000009
【図８】
2018009929.tif 000010
【図９】
2018009929.tif 000011
【図１０】
2018009929.tif 000012
【図１１】
2018009929.tif 000013
【図１２】
2018009929.tif 000014
【図１３】
2018009929.tif 000015
【図１４】
2018009929.tif 000016
【図１５】
2018009929.tif 000017
【図１６】
2018009929.tif 000018
【図１７】
2018009929.tif 000019
【図１８】
2018009929.tif 000020
【図１９】
2018009929.tif 000021
【図２０】
2018009929.tif 000022
【図２１】
2018009929.tif 000023
【図２２】
2018009929.tif 000024
【図２３】
2018009929.tif 000025
【図２４】
2018009929.tif 000026
【図２５】
2018009929.tif 000027
【図２６】
2018009929.tif 000028
【図２７】
2018009929.tif 000029
【図２８】
2018009929.tif 000030
【図２９】
2018009929.tif 000031